(57)【要約】【課題】  エアゾール容器から簡単に取外しできるエアゾール容器用アクチュエーターを提供すること。【解決手段】  エアゾール容器用アクチュエーター１０であって、肩カバー２０が、その筒状スカート部２１における筒状壁２２の周方向の一定範囲に渡り、該肩カバー２０がエアゾール容器１の該突条部５に取付けられた状態で該エアゾール容器１の上面に臨む位置に設けられる切欠部５０と、その筒状スカート部２１における該切欠部５０の上部から該筒状スカート部２１の半径方向の外方に張り出るように設けられる鍔部６０とを備えたもの。【選択図】  図１
2020083396.tif 000002
【特許請求の範囲】
【請求項１】
エアゾール容器の上端部に形成された突条部に嵌着される筒状スカート部を備え、該筒状スカート部が上下方向に沿う方向において該突条部に着脱される肩カバーと、
エアゾール容器の上面に設けたステムに嵌着される嵌着部を備えるとともに、該ステムに連通する吐出口を備え、上下方向に沿う方向において該ステムに着脱されるボタンと、
前記肩カバーと前記ボタンとを連結するヒンジとを有し、
前記ボタンにおける前記嵌着部を挟む前記ヒンジの反対側に押し部を備え、該押し部に加える押し下げ操作力による該ステムの押し下げにより該エアゾール容器の内容物を該吐出口から吐出可能にするエアゾール容器用アクチュエーターであって、
前記肩カバーは、前記筒状スカート部に取り外し誘導部を備え、
該取り外し誘導部は、前記筒状スカート部における筒状壁の周方向の一定範囲に渡り、該肩カバーがエアゾール容器の該突条部に取付けられた状態で該エアゾール容器の上面に臨む位置に設けられる切欠部と、その筒状スカート部における該切欠部の上部から該筒状スカート部の半径方向の外方に張り出るように設けられる鍔部とを備えたエアゾール容器用アクチュエーター。
【請求項２】
前記押し部が前記嵌着部から該エアゾール容器の外方向に向けて延びる形状をなし、該押し部の延在方向に沿う直線上で、前記嵌着部を挟む該押し部の反対側に、前記ヒンジを設けるとともに、前記吐出口を設け、
前記押し部が前記筒状スカート部の上側にまで延びる請求項１に記載のエアゾール容器用アクチュエーター。
【請求項３】
前記ボタンにおけるエアゾール容器の前記ステムへの着脱方向視で、前記筒状スカート部における前記筒状壁の周方向において、前記切欠部及び前記鍔部の中心位置が、前記押し部の延在方向に沿う中心線からずれた位置に設けられる請求項２に記載のエアゾール容器用アクチュエーター。
【請求項４】
前記ボタンにおけるエアゾール容器の前記ステムへの着脱方向視で、前記押し部における最も外方に延びている部分と重なる位置に前記切欠部及び前記鍔部が設けられている請求項３に記載のエアゾール容器用アクチュエーター。
【請求項５】
前記肩カバーが、その筒状スカート部をエアゾール容器の突条部に嵌着させるとき、該筒状スカート部における前記筒状壁の内周の周方向の複数位置に設けた複数個の各係止部が該エアゾール容器の突条部に係止するものとされ、
前記筒状壁の周方向のうちで前記ヒンジが連結される部分の内周に設けられる前記係止部の前記突条部に対する係止強度が、前記筒状壁の周方向における他の部分の内周に設けられる他の前記係止部の前記突条部に対する係止強度よりも強く設定される請求項１乃至４のいずれかに記載のエアゾール容器用アクチュエーター。
【請求項６】
前記ヒンジは、前記肩カバーにおける筒状スカート部に連結されて上方に立ち上がっており、その立ち上がり端と前記ボタンにおける高さ方向の中間位置とを連結する薄肉帯状体を有している請求項１乃至５のいずれかに記載のエアゾール容器用アクチュエーター。
【請求項７】
前記切欠部が、該肩カバーの筒状スカート部における筒状壁の半径方向視で湾曲状をなす請求項１乃至６のいずれかに記載のエアゾール容器用アクチュエーター。
【請求項８】
エアゾール容器の上端部に形成された突条部に嵌着される筒状スカート部を備え、該筒状スカート部が上下方向に沿う方向において該突条部に着脱される肩カバーと、
エアゾール容器の上面に設けたステムに嵌着される嵌着部を備えるとともに、該ステムに連通する吐出口を備え、上下方向に沿う方向において該ステムに着脱されるボタンと、
前記肩カバーと前記ボタンとを連結するヒンジとを有し、
前記ボタンにおける前記嵌着部を挟む前記ヒンジの反対側に押し部を備え、該押し部に加える押し下げ操作力による該ステムの押し下げにより該エアゾール容器の内容物を該吐出口から吐出可能にするエアゾール容器用アクチュエーターであって、
前記肩カバーは、前記筒状スカート部に取り外し誘導部を備え、
該取り外し誘導部は、前記筒状スカート部における筒状壁の周方向の一定範囲に渡り、該肩カバーがエアゾール容器の該突条部に取付けられた状態で該エアゾール容器の上面に臨む位置に設けられる切欠部、又は、前記筒状スカート部の半径方向の外方に張り出るように設けられる鍔部であって、
前記押し部が前記嵌着部から該エアゾール容器の外方向に向けて延びる形状をなすとともに、前記筒状スカート部の上側にまで延びており、
前記ボタンにおけるエアゾール容器の前記ステムへの着脱方向視で、前記押し部における最も外方に延びている部分と重なる位置に前記取り外し誘導部が設けられているエアゾール容器用アクチュエーター。
【発明の詳細な説明】
【技術分野】
【０００１】
本発明はエアゾール容器用アクチュエーターに関する。
【背景技術】
【０００２】
エアゾール容器用アクチュエーターとして、特許文献１に記載の如く、エアゾール容器の上端部に形成された突条部に嵌着される筒状スカート部を備え、該筒状スカート部が上下方向に沿う方向において該突条部に着脱される肩カバーと、エアゾール容器の上面に設けたステムに嵌着される嵌着部を備えるとともに、該ステムに連通する吐出口を備え、上下方向に沿う方向において該ステムに着脱されるボタンと、肩カバーとボタンとを連結するヒンジとを有してなるものがある。このエアゾール容器用アクチュエーターでは、ボタンにおけるエアゾール容器のステムへの嵌着部を挟むヒンジの反対側に押し部を備え、該押し部に加える押し下げ操作力による該ステムの押し下げにより該エアゾール容器の内容物を該吐出口から吐出可能にしている。
【０００３】
そして、特許文献１に記載のエアゾール容器用アクチュエーターでは、エアゾール容器が不用になって廃棄するときに、エアゾール容器の金属部分と、アクチュエーターの合成樹脂部分とを簡単に分別して廃棄するため、肩カバーにおける筒状スカート部の下端部に切欠部を設け、該切欠部に硬貨の端部を挿入して該筒状スカート部をエアゾール容器に対してこじ上げることにより、アクチュエーターをエアゾール容器から取外しできるようにしている。
【０００４】
また、特許文献１に記載のエアゾール容器用アクチュエーターでは、肩カバーにおける筒状スカート部の頂壁に設けた連結片を切断して形成されるＣ字状の分離スリットと、ボタンの周辺に設けたＣ字状の押圧用スリットとの間に環状の指掛け可能なリング片が形成されるようにし、アクチュエーターを分離するための特別な器具がなくてもアクチュエーターをエアゾール容器から取外しできるようにしている。
【０００５】
尚、エアゾール容器に取付けたアクチュエーターの使用時には、ボタンの吐出口から吐出される内容物が該吐出口において固化することがあり、そのような場合には、その吐出口を洗浄するために、アクチュエーターをエアゾール容器から簡単に取外し可能にする必要がある。
【先行技術文献】
【特許文献】
【０００６】
【特許文献１】特開平10-35750号公報
【発明の概要】
【発明が解決しようとする課題】
【０００７】
特許文献１に記載のエアゾール容器用アクチュエーターには以下の問題点がある。
(1)肩カバーにおける筒状スカート部の下端部に切欠部を設けるエアゾール容器用アクチュエーターでは、該切欠部に挿入する硬貨等の特別な器具が必要になる。
【０００８】
尚、切欠部に挿入された硬貨等は筒状スカート部をこじ上げるときに、エアゾール容器の表面を傷付けるおそれがある。不用となったエアゾール容器とアクチュエーターを分別廃棄する場合には不都合がないものの、エアゾール容器から取外したアクチュエーターの吐出口を洗浄し、該アクチュエーターを再びエアゾール容器に取付けて該エアゾール容器を繰り返し使用する場合には、そのようなエアゾール容器の表面を傷付ける硬貨等の使用は適当でない。
【０００９】
(2)環状の指掛け可能なリング片が形成されるようにしたエアゾール容器用アクチュエーターでは、肩カバーにおける筒状スカート部の頂壁に設けた連結片を切断してＣ字状の分離スリットを形成することから、アクチュエーターを破損させるものになる。不用となったエアゾール容器とアクチュエーターを分別廃棄する場合には不都合がないものの、エアゾール容器から取外したアクチュエーターの吐出口を洗浄し、該アクチュエーターを再びエアゾール容器に取付けて該エアゾール容器を繰り返し使用する場合には、そのようなアクチュエーターを破損させる構造の採用は適当でない。
【００１０】
本発明の課題は、エアゾール容器から簡単に取外しできるエアゾール容器用アクチュエーターを提供することにある。
【課題を解決するための手段】
【００１１】
請求項１に係る発明は、エアゾール容器の上端部に形成された突条部に嵌着される筒状スカート部を備え、該筒状スカート部が上下方向に沿う方向において該突条部に着脱される肩カバーと、エアゾール容器の上面に設けたステムに嵌着される嵌着部を備えるとともに、該ステムに連通する吐出口を備え、上下方向に沿う方向において該ステムに着脱されるボタンと、前記肩カバーと前記ボタンとを連結するヒンジとを有し、前記ボタンにおける前記嵌着部を挟む前記ヒンジの反対側に押し部を備え、該押し部に加える押し下げ操作力による該ステムの押し下げにより該エアゾール容器の内容物を該吐出口から吐出可能にするエアゾール容器用アクチュエーターであって、前記肩カバーは、前記筒状スカート部に取り外し誘導部を備え、該取り外し誘導部は、前記筒状スカート部における筒状壁の周方向の一定範囲に渡り、該肩カバーがエアゾール容器の該突条部に取付けられた状態で該エアゾール容器の上面に臨む位置に設けられる切欠部と、その筒状スカート部における該切欠部の上部から該筒状スカート部の半径方向の外方に張り出るように設けられる鍔部とを備えるようにしたものである。
【発明の効果】
【００１２】
本発明によれば、エアゾール容器用アクチュエーターをエアゾール容器から簡単に取外しできる。
【図面の簡単な説明】
【００１３】
【図１】図１はエアゾール容器に取付けた本発明のアクチュエーターの一実施形態を示す斜視図である。
【図２】図２はエアゾール容器に取付けた図１に示すアクチュエーターを示す断面図である。
【図３】図３は図１に示すアクチュエーターの側面図である。
【図４】図４は図１に示すアクチュエーターの正面図である。
【図５】図５は図１に示すアクチュエーターの背面図である。
【図６】図６は図１に示すアクチュエーターの平面図である。
【図７】図７は図１に示すアクチュエーターの底面図である。
【図８】図８は図１に示すアクチュエーターの取外し手順を示す模式図である。
【発明を実施するための形態】
【００１４】
（第１実施形態）（図１乃至図８）
図１、図２に示したエアゾール容器１は、金属等からなる容器本体２の上端部２Ａにマウンテンカップ３を加締め止め等によって固定し、このマウンテンカップ３の上面中央部よりエアゾール容器１の軸方向の上方へ突出するステム４を備える。エアゾール容器１は、ステム４を外方から内方へ押し下げ可能にしており、該ステム４を押し下げることにより内蔵吐出弁が開き、ガス圧で内容物をステム４の上端開口から吐出可能にしている。
【００１５】
尚、本明細書では、正立されたエアゾール容器１の突条部５に肩カバー２０の筒状スカート部２１が嵌合して取付けられ、該エアゾール容器１のステム４にボタン３０が嵌着された状態で、アクチュエーター１０の前後について、ボタン３０におけるステム４との嵌着部３２に対して吐出口３３が設けられる側を「前」といい、その反対側を「後」という。また、アクチュエーター１０の上下について、肩カバー２０における突条部５に嵌合される筒状スカート部２１、及びボタン３０においてステム４に嵌着される嵌着部３２が設けられる側を「下」といい、その反対側を「上」という。
【００１６】
本実施形態におけるエアゾール容器用アクチュエーター１０は、図１乃至図７に示す如く、肩カバー２０とボタン３０を有して構成される。
【００１７】
肩カバー２０は、エアゾール容器１における容器本体２の上端部２Ａに形成された突条部５に嵌着される筒状スカート部２１を備え、該筒状スカート部２１が上下方向に沿う方向において該突条部５に着脱される。尚、肩カバー２０の筒状スカート部２１が嵌着して取付けられるエアゾール容器１の突条部５は、本実施形態では、エアゾール１において容器本体２の上端部２Ａに固定されたマウンテンカップ３の加締め止め部により形成され、エアゾール１の上面のステム４を囲んで該ステム４と同芯状をなす。
【００１８】
ボタン３０は、本体部３１に、エアゾール容器１の上面のステム４に嵌着される丸孔状の嵌着部３２を後述する如くに備えるとともに、該ステム４に連通路３４を介して連通する丸孔状の吐出口３３を備え、該嵌着部３２が上下方向に沿う方向において該ステム４に着脱される。ボタン３０に加える押し下げ操作力によるステム４の押し下げにより、エアゾール容器１の内容物をステム４経由で吐出口３３から吐出可能にする。
【００１９】
ここで、アクチュエーター１０は、プラスチックを金型成形する等によって製作された成形体からなり、図２乃至図７に示す如く、肩カバー２０とボタン３０とが薄肉状のヒンジ４０により連結されて構成される。即ち、肩カバー２０とボタン３０とは、肩カバー２０におけるエアゾール容器１の突条部５に嵌着される筒状スカート部２１と、ボタン３０におけるエアゾール容器１のステム４との嵌着部３２との中間位置に設けたヒンジ４０により連結される。
【００２０】
肩カバー２０の筒状スカート部２１は、エアゾール容器１の上面のステム４を囲む周方向の全周に渡って連続する短尺筒状体（本実施形態では短尺円筒状体）をなす。筒状スカート部２１は、エアゾール容器１の半径方向の外方に臨む突条部５の外側面に嵌着される筒状壁２２と、筒状壁２２の上端部からエアゾール容器１の半径方向の内方に延在し、該エアゾール容器１の軸方向の上方に臨む突条部５の上端面に当接する環状の肩部２３とを有する。
【００２１】
また、肩カバー２０の筒状スカート部２１は、筒状壁２２の内周の周方向の複数位置に複数個の係止部２２Ａ乃至２２Ｃを設けており、エアゾール容器１の突条部５に嵌着されるとき、それらの各係止部２２Ａ乃至２２Ｃが該突条部５に係止するものとされている。本実施形態において、各係止部２２Ａ乃至２２Ｃは、筒状壁２２の内周における下縁沿いの周方向に沿う各一定の角度範囲θa、θb、θcに渡って、該筒状壁２２の内周面からエアゾール容器１の半径方向の内方に向かって一定の高さｈだけ突出したリブ状をなす（図２、図７）。本実施形態において、係止部２２Ａは筒状壁２２の周方向のうちで前記ヒンジ４０が連結される部分の内周に設けられ、他の係止部２２Ｂ、２２Ｃは筒状壁２２の周方向のうちで後述する切欠部５０と鍔部６０が設けられる部分の両脇部のそれぞれに設けられる。肩カバー２０は、筒状スカート部２１がエアゾール容器１の突条部５に嵌着したとき、筒状壁２２の各係止部２２Ａ乃至２２Ｃが該突条部５の対応する外側面の下縁部に下方から係止し、筒状スカート部２１のその嵌着状態を維持可能にする。
【００２２】
このとき、筒状スカート部２１における筒状壁２２の周方向のうちで前記ヒンジ４０が連結される部分の内周に設けられる係止部２２Ａの上記突条部５に対する係止強度は、上記筒状壁２２の周方向における他の部分の内周に設けられる他の係止部２２Ｂ、２２Ｃの上記突条部５に対する係止強度よりも強く設定されている。本実施形態において、係止部２２Ａはその角度範囲θaが他の係止部２２Ｂ、２２Ｃの角度範囲θb、θcよりも大とされ、その係止強度を強く設定されている。これに限らず、例えば係止部２２Ａの高さｈを他の係止部２２Ｂ、２２Ｃの高さｈよりも高くし、その係止強度を強く設定することもできる。
【００２３】
ボタン３０は、肩カバー２０の筒状スカート部２１における肩部２３の円形状内径部よりも小径の外径を備えて概ね有天筒状体（本実施形態では有天円筒状体）をなす本体部３１を備える。そして、ボタン３０は、エアゾール容器１のステム４に嵌着する嵌着部３２を、本体部３１の天面部における下面中央部から垂下するように設けてアクチュエーター１０の下方に臨ませて開口するとともに、吐出口３３を本体部３１の前面中央部に設けてエアゾール容器１の前方に臨ませて開口する。ボタン３０は、嵌着部３２から上方に延びる縦孔３４Ａと、縦孔３４Ａの上端部から前方に延びる横孔３４Ｂを本体部３１の内部に有し、縦孔３４Ａと横孔３４ＢからなるＬ字状連通路３４によって、嵌着部３２と吐出口３３を接続している。
【００２４】
そして、アクチュエーター１０にあっては、図６に示すように、筒状スカート部２１における筒状壁２２の軸方向視で、筒状スカート部２１における肩部２３の円形状内径部の内側に、ボタン３０における本体部３１が位置している。詳述すると、図６に示すように、筒状スカート部２１における筒状壁２２の軸方向視で、肩部２３の中心位置と、本体部３１の中心位置とが一致するように配されている。そして、図３に示すように、前述のヒンジ４０が肩カバー２０の筒状スカート部２１における肩部２３の円形状内径部に連結されて上方に立ち上がり、その立ち上がり端がボタン３０の本体部３１における高さ方向中間部（吐出口３３の下部）に連結される。本実施形態において、ヒンジ４０は、上述の立ち上がりの上端部からボタン３０に連結される部分までの水平に延びる薄肉帯状体４１を有している。
【００２５】
更に、アクチュエーター１０にあっては、図３に示すように、ボタン３０の本体部３１におけるエアゾール容器１のステム４との嵌着部３２を挟むヒンジ４０の反対側に位置する押し部３５を、該本体部３１の天面からなだらかに下り勾配をなして後方に向かう外方向へ延出させている。押し部３５に加える押し下げ操作力によって該ボタン３０をヒンジ４０まわりに回動し、該ステム４を押し下げ可能にする。このとき、ボタン３０の押し部３５に加えた押し下げ操作力は、ヒンジ４０を支点とするテコの原理によって拡大された押し下げ作用力をエアゾール容器１のステム４に作用し、該ステム４の押し下げによりエアゾール容器１の内容物をボタン３０の吐出口３３から吐出させる。
【００２６】
尚、アクチュエーター１０にあっては、ボタン３０の押し部３５がエアゾール容器１におけるステム４への嵌着部３２から後方に向かう外方向に延びる長手状をなし、該押し部３５の延在方向に沿う直線上で、該ステム４への嵌着部３２を挟む該押し部３５の反対側に、前記ヒンジ４０を設けるとともに、該ボタン３０の吐出口３３を設ける。このとき、ボタン３０の長手状をなす押し部３５は、肩カバー２０の筒状スカート部２１における肩部２３の上側にまで延在されている。
【００２７】
しかるに、アクチュエーター１０はエアゾール容器１から簡単に取外し可能とするために、肩カバー２０に以下の構造を具備する。
【００２８】
即ち、本実施形態において、肩カバー２０は、図１、図３、図５、図６、図７に示す如く、取り外し誘導部として、切欠部５０と鍔部６０とを備える。切欠部５０は、肩カバー２０の筒状スカート部２１における筒状壁２２の周方向の一定範囲に渡り、該肩カバー２０がエアゾール容器１の突条部５に取付けられた状態で該エアゾール容器１の上面のマウンテンカップ３に臨む位置に設けられる。鍔部６０は、肩カバー２０の筒状スカート部２１における該切欠部５０の上部から該筒状スカート部２１の半径方向の外方に張り出るように設けられる。本実施形態において、切欠部５０は筒状スカート部２１における筒状壁２２の周方向に沿う幅Ｗ（図７）の範囲に渡るものとしている。また、鍔部６０は筒状スカート部２１における筒状壁２２の上縁部から外方に長さＬ（図７）だけ張り出て、該鍔部６０の上面を肩部２３の上面と概ね面一をなすものとしている。使用者は、手の親指等の指先（又は爪先）を上記切欠部５０に入れ、その指先の腹を上記鍔部６０の下面に当て、その切欠部５０と鍔部６０に加える押し上げ力によって肩カバー２０の筒状スカート部２１をエアゾール容器１の突条部５から押し上げ可能にするものになる。
【００２９】
ここで、肩カバー２０に備えた切欠部５０と鍔部６０は、好適には、ボタン３０におけるエアゾール容器のステム４への嵌着部３２を挟む、ヒンジ４０の反対側に位置する該肩カバー２０の筒状スカート部２１に設けられる。そして、図６に示すように、ボタン３０におけるエアゾール容器１のステム４への着脱方向視（筒状スカート部２１における筒状壁２２の軸方向視）で、該肩カバー２０の筒状スカート部２１における筒状壁２２の周方向において、切欠部５０と鍔部６０の中心位置は、押し部３５の延在方向に沿う中心線ｌからずれた位置に設けられる。より詳述すると、ボタン３０におけるエアゾール容器１のステム４への着脱方向視で、押し部３５における最も外方に延びている部分と重なる位置に切欠部５０及び鍔部６０が設けられている。
【００３０】
また、肩カバー２０に備えた切欠部５０は、該肩カバー２０の筒状スカート部２１における筒状壁２２の半径方向視で、使用者の指先の腹の湾曲面に倣う如くの湾曲状をなすことが好ましい。
【００３１】
また、肩カバー２０に備えた鍔部６０は、該肩カバー２０の筒状スカート部２１における筒状壁２２の軸方向視で、切欠部５０に入れた使用者の指先の腹の一部に上方から重なる張り出し状をなす。鍔部６０は使用者の指先の腹に優しく接するように丸味を帯びた湾曲状をなすことが好ましく、更には上記指先の腹との当接面を確保するためにその輪郭の一端側と他端側とが互いに非対称をなすことも好ましい。
【００３２】
従って、アクチュエーター１０は以下の如くに使用される。
(A)エアゾール容器１の内容物を吐出するとき。
ボタン３０の押し部３５に押し下げ操作力を加える。押し部３５に加えた押し下げ操作力は、ヒンジ４０を支点とするテコの原理によって拡大された押し下げ作用力をステム４に及ぼし、エアゾール容器１の内容物をステム４経由でボタン３０の吐出口３３から吐出させる。
【００３３】
このとき、ボタン３０の本体部３１は肩カバー２０に対してヒンジ４０まわりに回動して押下され、当該本体部３１の下端部を肩カバー２０における筒状スカート部２１の肩部２３が形成している円形状内径部に若干没入させる。
【００３４】
(B)エアゾール容器１の内容物を使い切って該エアゾール容器１を廃棄するとき、或いはアクチュエーター１０をエアゾール容器１から取外してその吐出口３３を洗浄するために、アクチュエーター１０をエアゾール容器１から取外すとき。
【００３５】
アクチュエーター１０をエアゾール容器１から取外すため、一方の手でエアゾール容器１を保持した状態において、図８（Ａ）に示す如く、肩カバー２０の筒状スカート部２１における筒状壁２２に設けた切欠部５０に他方の手の親指等の指先（又は爪先）を入れ、その指先の腹をその筒状スカート部２１における該切欠部５０の上部から外方に突き出るように設けた鍔部６０に当て、その切欠部５０と鍔部６０に加える押し上げ力によって該筒状スカート部２１を押し上げる。
【００３６】
これにより、該肩カバー２０はその筒状スカート部２１とエアゾール容器１の突条部５との嵌着を解除されて持ち上げられるとともに（図８（Ｂ））、該肩カバー２０にヒンジ４０を介して連結されているボタン３０も持ち上げられてその嵌着部３２とエアゾール容器１のステム４との嵌着も解除され、アクチュエーター１０の全体がエアゾール容器１から取外されるものになる（図８（Ｃ））。
【００３７】
これにより、エアゾール容器１の廃棄段階で、エアゾール容器１とアクチュエーター１０とを分別処理でき、アクチュエーター１０を再利用することもできる。
【００３８】
また、エアゾール容器１に取付けたアクチュエーター１０の使用時に、ボタン３０の吐出口３３から吐出された内容物が該吐出口３３において固化したとき、アクチュエーター１０をエアゾール容器１から取外してその吐出口３３を洗浄することができる。尚、ボタン３０の吐出口３３が洗浄されたアクチュエーター１０は、再びエアゾール容器１に取付けられて繰り返し使用に供される。
【００３９】
従って、本実施形態のアクチュエーター１０によれば以下の作用効果を奏する。
(a)アクチュエーター１０の肩カバー２０に設けた切欠部５０及び鍔部６０を用いて、アクチュエーター１０の全体を簡易に取外しできる。
【００４０】
アクチュエーター１０の取外しのために、特殊な器具を用いる必要がなく、エアゾール容器１の表面を傷付けるおそれがないし、アクチュエーター１０を破損させることもなく、該アクチュエーター１０を簡単に取外しできる。
【００４１】
従って、このようなアクチュエーター１０は、不用となったエアゾール容器１からアクチュエーター１０を取外して分別廃棄する場合だけでなく、エアゾール容器１から外したアクチュエーター１０の吐出口３３を洗浄し、該アクチュエーター１０を再びエアゾール容器１に取付けて該エアゾール容器１を繰り返し使用する場合にも、好適に採用できる。
【００４２】
特に、本実施形態においては、取り外し誘導部として、切欠部５０及び該切欠部５０の上部に設けられた鍔部６０の両方を有しているため、指先からの押し上げ力を確実に筒状スカート部２１に作用させることができるので、アクチュエーター１０を簡単に取外しできる。
【００４３】
(b)ボタン３０の押し部３５の延在方向に沿う直線上で、エアゾール容器１のステム４への嵌着部３２を挟む該押し部３５の反対側に、ヒンジ４０及び該ボタン３０の吐出口３３を設けた。従って、ボタン３０の押し部３５に加える押し下げ操作力による該ボタン３０のヒンジ４０まわりの回動操作性が良い。また、ボタン３０の押し部３５に加える押し下げ操作力による吐出口３３からの内容物の吐出方向が該押し部３５の延在方向に沿う方向になることを容易に認識でき、使い勝手が良い。
【００４４】
(c)ボタン３０の長手状をなす押し部３５が肩カバー２０における筒状スカート部２１の上側にまで延びる。従って、前述(a)で、肩カバー２０に設けた切欠部５０と鍔部６０に加える押し上げ力により筒状スカート部２１が押し上げられ、その筒状スカート部２１とエアゾール容器１の突条部５との嵌着が解除されて持ち上げられたとき、当該持ち上げられた肩カバー２０の筒状スカート部２１が続いてその筒状スカート部２１の上側にまで延びているボタン３０の押し部３５を突き上げることを可能にし、当該ボタン３０が持ち上げられてその嵌着部３２とエアゾール容器１のステム４との嵌着も解除するものになる。指先による筒状スカート部２１の押し上げ操作に基づき、肩カバー２０を持ち上げる動作と、更にはボタン３０を持ち上げる動作とを一連化できる。肩カバー２０の持ち上げ動作と、ボタン３０の持ち上げ動作とを、使用者の別個の操作によることなく、その指先によって筒状スカート部２１を押し上げる１個の操作で連続化でき、アクチュエーター１０を一層簡単に取外しできる。
【００４５】
特に、ボタン３０におけるエアゾール容器１のステム４への着脱方向視で、押し部３５における最も外方に延びている部分と重なる位置に取り外し誘導部（切欠部５０、鍔部６０）が設けられているので、取り外し動作により持ち上げられた筒状スカート部２１が確実に押し部３５を突き上げることができ、弱い力で確実にアクチュエーター１０をエアゾール容器１の突条部５及びステム４から取り外すことができる。
【００４６】
(d)アクチュエーター１０は、ボタン３０の押し部３５に加える押し下げ操作力によって、ボタン３０がヒンジ４０を回動中心として該ボタン３０を回動させてステム４を押し下げることにより、エアゾール容器１の内容物を吐出させる。このとき、ボタン３０の押し部３５に加えた押し下げ操作力は、ステム４との嵌着部３２を支点とするテコの原理によって拡大された取り外し力をヒンジ４０、更には該ヒンジ４０の側の肩カバー２０に及ぼす。従って、押し部３５への押し下げ操作によってアクチュエーター１０がエアゾール容器１から外れてしまわないように、肩カバー２０の筒状スカート部２１がエアゾール容器１の突条部５に対する嵌着強度はヒンジ４０の側で強くなるように設定される必要がある。一方において、前述(a)で肩カバー２０の筒状スカート部２１に設けた切欠部５０及び鍔部６０に加える押し上げ力によって押し上げられ、エアゾール容器１の突条部５との嵌着を解除される筒状スカート部２１は、エアゾール容器１の突条部５との嵌着強度が強くない側で、換言すればヒンジ４０の反対側で持ち上げられて取外されることが好ましい。即ち、ボタン３０におけるエアゾール容器１のステム４への嵌着部３２を挟むヒンジ４０の反対側に位置する肩カバー２０の筒状スカート部２１に切欠部５０と鍔部６０を設けることにより、切欠部５０と鍔部６０に加える押し上げ力が該筒状スカート部２１においてエアゾール容器１の突条部５との嵌着強度が強くない側に作用するものになり、アクチュエーター１０を一層簡単に取外しできる。
【００４７】
また、切欠部５０と鍔部６０が、ボタン３０におけるエアゾール容器１のステム４への着脱方向視で、該肩カバー２０の筒状スカート部２１における筒状壁２２の周方向において該ボタン３０の押し部３５からずれた位置に設けられることにより、使用者はエアゾール容器１に取付けられたアクチュエーター１０の平面視で、切欠部５０と鍔部６０をボタン３０の押し部３５に遮られることなく視認でき、切欠部５０と鍔部６０の使い勝手が良い。また、上記平面視において、ボタン３０の押し部３５が筒状スカート部２１の半径方向で該筒状スカート部２１の外径よりも外側に延びている場合に、この押し部３５が前述(a)で切欠部５０及び鍔部６０に押し上げ力を加えようとする使用者の指先操作を損なうものにならない。
【００４８】
(e)筒状スカート部２１の筒状壁２２の内周の周方向の複数位置に設けられてエアゾール容器１の突条部５に係止する各係止部２２Ａ乃至２２Ｃのうち、該筒状壁２２の周方向においてヒンジ４０が連結される部分の内周に設けられる係止部２２Ａの係止強度が他の係止部２２Ｂ、２２Ｃにおけるよりも強く設定される。これにより、前述(d)でボタン３０の押し部３５に加えた押し下げ操作力が、ステム４との嵌着部３２を支点とするテコの原理によって拡大された取外し力をヒンジ４０、更には該ヒンジ４０の側の肩カバー２０に及ぼすとき、該ヒンジ４０の側の筒状壁２２の内周に設けられている係止部２２Ａはその強い係止強度によってエアゾール容器１の突条部５に強く係止され、当該肩カバー２０の筒状スカート部２１を安定的にエアゾール容器１の突条部５に嵌着維持できる。他方、ヒンジ４０の反対側に位置する肩カバー２０の筒状スカート部２１に設けられた切欠部５０と鍔部６０に加える押し上げ力が係止強度の強くない側の該筒状壁２２の内周に設けられる他の係止部２２Ｂ、２２Ｃに作用するものになり、アクチュエーター１０を簡単に取外しできる。
【００４９】
(f)ヒンジ４０は、肩カバー２０における筒状スカート部２１の筒状壁２２に連結されて上方に立ち上がっており、その立ち上がり端とボタン３０の高さ方向における中間位置とを連結する薄肉帯状体４１を有している。即ち、肩カバー２０とボタン３０とを連結するヒンジ４０が長い帯状をなすことにより、柔軟になる。従って、前述(a)で肩カバー２０の筒状スカート部２１に設けた切欠部５０と鍔部６０に押し上げ力を加えたとき、その押し上げ力が筒状スカート部２１に直接作用して肩カバー２０が先ず押し上げられ、続いてその押し上げ力が柔軟なヒンジ４０をある程度撓ませた後にボタン３０に作用して該ボタン３０を持ち上げるものになり、アクチュエーター１０の全体がエアゾール容器１から取外されるものになる。アクチュエーター１０の取外しに際し、先ず肩カバー２０が持ち上げられ、続いてボタン３０が持ち上げられる２段階動作となり、切欠部５０と鍔部６０に加えるべき押し上げ力は肩カバー２０とボタン３０を同時に持ち上げるに必要とされる力より軽くなる。
【００５０】
(g)肩カバー２０に備えた切欠部５０が、該肩カバー２０の筒状スカート部２１における筒状壁２２の半径方向視で湾曲状をなす。指先の先端腹面を湾曲状切欠部５０に沿わせるようにして該指先を該切欠部５０に入れることができ、指先による筒状スカート部２１の押し上げ操作性が良好になる。
【００５１】
本発明は上述の実施形態に限定されるものではなく、本発明の目的が達成される限りにおける種々の変形、改良等の態様も含む。
【００５２】
例えば、上記実施形態においては、取り外し誘導部として切欠部５０及び鍔部６０を備えるものであったが、ボタン３０におけるエアゾール容器のステム４への着脱方向視で、押し部３５における最も外方に延びている部分と重なる位置に取り外し誘導部が設けられているのであれば、該取り外し誘導部として、切欠部５０及び鍔部６０のどちらか一方のみ設けられたものであっても良い。このような形態の場合も、エアゾール容器用アクチュエーターをエアゾール容器から簡単に取外し可能となる。
【産業上の利用可能性】
【００５３】
本発明によれば、エアゾール容器用アクチュエーターをエアゾール容器から簡単に取外しできる。
【符号の説明】
【００５４】
１  エアゾール容器
４  ステム
５  突条部
１０  アクチュエーター
２０  肩カバー
２１  筒状スカート部
２２  筒状壁
２２Ａ乃至２２Ｃ  係止部
２３  肩部
３０  ボタン
３１  本体部
３２  嵌着部
３３  吐出口
３５  押し部
４０  ヒンジ
５０  切欠部
６０  鍔部
【図１】
2020083396.tif 000003
【図２】
2020083396.tif 000004
【図３】
2020083396.tif 000005
【図４】
2020083396.tif 000006
【図５】
2020083396.tif 000007
【図６】
2020083396.tif 000008
【図７】
2020083396.tif 000009
【図８】
2020083396.tif 000010